(57)【要約】【課題】  補強金属板を切り欠いて操作スイッチユニットを設けても透明保持部材枠の剛性が低下せず、不正行為を防止することができ、また、スピーカーカバー部材を要因とした回路の誤動作のない遊技機を提供する。【解決手段】  合成樹脂製の保持枠本体６５の裏面に、金属製の右補強板１０１、左補強板９８、上補強板９４および下補強板９９から成る補強板を設けて、下補強板９９に形成した切り欠き部１１０内に操作ボタン装置８７を設け、切り欠き部１１０を跨いで操作ボタン装置８７を後方から囲繞するように、下補強板９９から後方に延出した左板部１１３および右板部１１４と、左板部１１３の後端に一側が接続するとともに、右板部１１４の後端に他側が接続し、操作ボタン装置８７の後方に位置する後板部１１５と、後板部１１５の下端から前方へ折り返した底板部１１６と、を備えた金属製の補助補強板１１２を取り付ける。【選択図】  図９
2005261657.tif 000002
【特許請求の範囲】
【請求項１】
略額縁状に形成した内枠に、透明部材により開口部を覆った透明部材保持枠を開閉可能に取り付け、該透明部材保持枠の透明部材を通して遊技盤の遊技領域を視認可能にした遊技機において、
前記透明部材保持枠は、前記開口部の下方部分を下方へ延設するとともに、前記透明部材を保持するための保持部材が設けられた合成樹脂製の保持枠本体を有し、
該保持枠本体の裏面には、その裏面に沿って金属製の左補強板、右補強板、上補強板および下補強板から成る補強板を設け、
前記下補強板に切り欠き部を形成し、前記保持枠本体の開口部の下方部分に遊技者が遊技に関する操作を遊技機前方から操作可能な操作ボタン装置を前記切り欠き部から後方に突出させた状態で設け、
前記切り欠き部を跨いで前記操作ボタン装置をよけた状態で金属製の補助補強板を前記下補強板に取り付け、
前記補助補強板は、
前記下補強板から後方に延出した左板部および右板部と、
前記左板部後端に一側が接続するとともに、前記右板部後端に他側が接続し、前記操作ボタン装置の後方に位置する後板部と、
前記後板部の下端から前方へ折り返した底板部と、
を備えたことを特徴とする遊技機。
【請求項２】
前記補助補強板の底板部の前端部が、前記下補強板の前面よりも前方まで延在していることを特徴とする請求項１に記載の遊技機。
【請求項３】
前記前面枠には、前記透明部材保持枠よりも下方位置に前記遊技領域へ遊技球を発射するための発射装置が設けられおり、
前記補助補強板の後板部は、前記発射装置から発射された遊技球の前面側の案内面を区画する裏面部材で覆われていることを特徴とする請求項１または請求項２に記載の遊技機。
【請求項４】
前記補助補強板には、前記左板部前端および右板部前端からそれぞれ外側方に折り曲げられ、前記下補強板に取り付ける取付板部が設けられ、
前記保持枠本体の各取付板部に対応する位置には、止着部材を止着するための止着孔と、後方に突出した突出部材と、がそれぞれ形成され、
前記下補強板および前記各取付板部には、前記止着部材を挿通する止着孔と、前記突出部材を挿通するための挿通孔とがそれぞれ形成され、
前記突出部材に前記下補強板の挿通孔と前記取付板部の挿通孔を挿通し、前記下補強板に前記取付板部を重ねて前記止着孔に止着部材を止着して前記補助補強板を取り付けたことを特徴とする請求項１から請求項３のいずれかに記載の遊技機。
【請求項５】
前記透明部材保持枠は、前記保持枠本体の前面側に当該透明部材保持枠を装飾するための装飾部材が設けられており、
前記操作ボタン装置は、ユニットケースによりユニット化され、
前記保持枠本体には、前方が開口した凹室状の前記操作ボタン装置を収納するための操作ボタン装置収納室が形成され、
前記装飾部材は、前記操作ボタン装置収納室の前面側を覆うカバー部材を含み、
前記補助補強板は、前記操作ボタン装置収納室の後壁の後面に、前記後板部の前面が接するように取り付けられていることを特徴とする請求項１から請求項４のいずれかに記載の遊技機。
【請求項６】
前記透明部材保持枠の開口縁近傍に、導電性のメッキが施されたスピーカーカバー部材を備えたスピーカーを配設し、
前記スピーカーカバー部材と前記保持枠本体の裏面に配した前記補強板とを、導電性付勢手段を介して導通接続したことを特徴とする請求項１から請求項５のいずれかに記載の遊技機。
【発明の詳細な説明】
【技術分野】
【０００１】
本発明は、遊技部の前面を覆う透明部材を保持する透明部材保持枠を合成樹脂により成型し、該透明部材保持枠の裏面に補強金属板を付設したパチンコ機などの遊技機に関する。
【背景技術】
【０００２】
近年、パチンコ機等の遊技機において、遊技部の前面を覆うガラス等の透明部材を保持する透明部材保持枠を合成樹脂により成型し、これを内枠たる前面枠に開閉可能に取り付け、該透明部材保持枠の裏面に補強金属板を付設して補強する発明が、例えば、特開平８−２８９９６２号公報（特許文献１）により提案されている。
【０００３】
この特許文献１には、透明部材（クリア部材）保持枠を合成樹脂により成形した透明部材保持枠本体と、該透明部材保持枠本体の裏面側に固定した補強金属板（補助金属板）と、透明部材保持枠本体の開口部を塞ぐようにして取り付けた板状の透明部材とで構成し、上記補強金属板を、透明部材保持枠本体の裏側四周に連続した状態で固定し、これにより透明部材保持枠の樹脂化を図りつつその強度低下をなくそうとするものである。
【０００４】
このような遊技機において、透明部材保持枠の下辺に、例えば、球貸しボタン、ストップボタンおよび遊技モード選択ボタンなどの操作スイッチユニットを取り付ける場合には、取付けスペースの関係から透明部材よりも前方に取り付けなければならなかった。
【０００５】
しかし、操作スイッチユニットを透明部材よりも前方に突出させると、美観性を損ねることとなり、強度も弱かった。また、透明部材保持枠の下辺を下方へ延設して、透明部材の下方に操作スイッチを取り付けるように工夫したとしても、透明部材保持枠の裏面側には補強金属板が存在するため、結局、操作スイッチユニットが前方へと突出してしまう。
したがって、操作スイッチユニットを透明部材よりも前方に突出させないようにするためには、透明部材保持枠の裏面には補強金属板に切り欠いて、その部分に操作スイッチユニットを設けざるを得ない。
【特許文献１】特開平８−２８９９６２号公報
【発明の開示】
【発明が解決しようとする課題】
【０００６】
上述したように、補強金属板を切り欠いて、その部分に操作スイッチユニットを設けるようにした場合には、操作スイッチユニットは前方に突出しないが、その反面、透明部材保持部材枠の剛性が低下することになり、この場合、遊技者が透明部材保持枠を前方へと引っ張って透明部材保持枠を撓ませることにより、遊技盤表面と透明部材保持枠裏面との間隔を拡げて、Ｖ入賞率を高くするなどの不正行為がなされる可能性があり、実用に供し得ない。
【０００７】
また、透明部材保持枠の左右両側には、音響効果を演出するスピーカーを設けるが、このスピーカーを覆うスピーカーカバー部材には導電性の樹脂メッキが施されているので、該スピーカーカバーと透明部材保持枠との間で火花が散って強烈な放射ノイズが発生し、回路が誤動作する虞があった。
【０００８】
本発明は上記に鑑み提案されたもので、その目的は、補強金属板を切り欠いて操作スイッチユニットを設けても透明部材保持枠の剛性が低下することなく、不正行為を防止することができ、また、スピーカーカバー部材を要因として回路が誤動作することのない遊技機を提供しようとするものである。
【課題を解決するための手段】
【０００９】
本発明は、上記に鑑み提案されたものであり、請求項１に記載のものは、略額縁状に形成した内枠に、透明部材により開口部を覆った透明部材保持枠を開閉可能に取り付け、該透明部材保持枠の透明部材を通して遊技盤の遊技領域を視認可能にした遊技機において、
前記透明部材保持枠は、前記開口部の下方部分を下方へ延設するとともに、前記透明部材を保持するための保持部材が設けられた合成樹脂製の保持枠本体を有し、
該保持枠本体の裏面には、その裏面に沿って金属製の左補強板、右補強板、上補強板および下補強板から成る補強板を設け、
前記下補強板に切り欠き部を形成し、前記保持枠本体の開口部の下方部分に遊技者が遊技に関する操作を遊技機前方から操作可能な操作ボタン装置を前記切り欠き部から後方に突出させた状態で設け、
前記切り欠き部を跨いで前記操作ボタン装置をよけた状態で金属製の補助補強板を前記下補強板に取り付け、
前記補助補強板は、
前記下補強板から後方に延出した左板部および右板部と、
前記左板部後端に一側が接続するとともに、前記右板部後端に他側が接続し、前記操作ボタン装置の後方に位置する後板部と、
前記後板部の下端から前方へ折り返した底板部と、
を備えたことを特徴とする遊技機である。
【００１０】
請求項２に記載のものは、前記補助補強板の底板部の前端部が、前記下補強板の前面よりも前方まで延在していることを特徴とする請求項１に記載の遊技機である。
【００１１】
請求項３に記載のものは、前記前面枠には、前記透明部材保持枠よりも下方位置に前記遊技領域へ遊技球を発射するための発射装置が設けられおり、
前記補助補強板の後板部は、前記発射装置から発射された遊技球の前面側の案内面を区画する裏面部材で覆われていることを特徴とする請求項１または請求項２に記載の遊技機である。
【００１２】
請求項４に記載のものは、前記補助補強板には、前記左板部前端および右板部前端からそれぞれ外側方に折り曲げられ、前記下補強板に取り付ける取付板部が設けられ、
前記保持枠本体の各取付板部に対応する位置には、止着部材を止着するための止着孔と、後方に突出した突出部材と、がそれぞれ形成され、
前記下補強板および前記各取付板部には、前記止着部材を挿通する止着孔と、前記突出部材を挿通するための挿通孔とがそれぞれ形成され、
前記突出部材に前記下補強板の挿通孔と前記取付板部の挿通孔を挿通し、前記下補強板に前記取付板部を重ねて前記止着孔に止着部材を止着して前記補助補強板を取り付けたことを特徴とする請求項１から請求項３のいずれかに記載の遊技機である。
【００１３】
請求項５に記載のものは、前記透明部材保持枠は、前記保持枠本体の前面側に当該透明部材保持枠を装飾するための装飾部材が設けられており、
前記操作ボタン装置は、ユニットケースによりユニット化され、
前記保持枠本体には、前方が開口した凹室状の前記操作ボタン装置を収納するための操作ボタン装置収納室が形成され、
前記装飾部材は、前記操作ボタン装置収納室の前面側を覆うカバー部材を含み、
前記補助補強板は、前記操作ボタン装置収納室の後壁の後面に、前記後板部の前面が接するように取り付けられていることを特徴とする請求項１から請求項４のいずれかに記載の遊技機である。
【００１４】
請求項６に記載のものは、前記透明部材保持枠の開口縁近傍に、導電性のメッキが施されたスピーカーカバー部材を備えたスピーカーを配設し、
前記スピーカーカバー部材と前記保持枠本体の裏面に配した前記補強板とを、導電性付勢手段を介して導通接続したことを特徴とする請求項１から請求項５のいずれかに記載の遊技機である。
【発明の効果】
【００１５】
本発明の遊技機によれば、次のような優れた効果を奏する。
即ち、請求項１に記載の発明によれば、合成樹脂製の保持枠本体の裏面に、その裏面に沿って金属製の左補強板、右補強板、上補強板および下補強板から成る補強板を設けて、下補強板に形成した切り欠き部から後方に突出した状態で操作ボタン装置を設け、この切り欠き部を跨いで操作ボタン装置をよけた状態で金属製の補助補強板を設け、この補助補強板は、下補強板から後方に延出した左板部および右板部と、前記左板部後端に一側が接続するとともに、前記右板部後端に他側が接続し、前記操作ボタン装置の後方に位置する後板部と、前記後板部の下端から前方へ折り返した底板部とを備えたので、前記下補強板に形成した切り欠き部内に操作ボタン装置を設けても、透明部材保持枠の剛性を十分に高めることができ、これにより不正行為を防止することができる。また、透明部材保持枠は、その開口部の下方部分を下方へ延設させて透明部材の下方に位置するように操作ボタン装置を設けたので、上記開口部を大きく形成することができ、操作ボタン装置の取付部分の美観にも優れている。さらに、操作ボタン装置を後方から囲繞する補助補強板には、後板部の下端から前方へ折り返した底板部を設けているので、遊技者が操作ボタン装置を強く叩いても、それに耐え得る十分な強度を有する。
【００１６】
請求項２に記載の発明によれば、補助補強板の底板部の前端部が、下補強板の前面よりも前方まで延在しているので、該補助補強板の強度が増し、撓みに強くなり、また、この底板部によって、透明部材保持枠の下方からピアノ線を挿入するなどの不正行為を防止することができる。
【００１７】
請求項３に記載の発明によれば、前面枠には、透明部材保持枠よりも下方位置に前記遊技領域へ遊技球を発射するための発射装置が設けられおり、補助補強板の後板部は、上記発射装置から発射された遊技球の前面側の案内面を区画する裏面部材で覆われているので、補助補強板を取り付けても、発射された遊技球の誘導に影響を与えない。
【００１８】
請求項４に記載の発明によれば、保持枠本体の各取付板部に対応する位置には、止着部材を止着するための止着孔と、後方に突出した突出部材と、がそれぞれ形成され、下補強板および各取付板部には、止着部材を挿通する止着孔と、突出部材を挿通するための挿通孔とがそれぞれ形成され、突出部材に前記下補強板の挿通孔と前記取付板部の挿通孔を挿通し、前記下補強板に前記取付板部を重ねて前記止着孔に止着部材を止着して前記補助補強板を取り付けるので、突出部材が位置決めになり、組立の作業性が良くなり、突出部材と止着部材の２ヵ所で係合するので撓み力に対して剛性を有する。
【００１９】
請求項５に記載の発明によれば、補助補強板は、操作ボタン装置収納室の後壁の後面に、後板部の前面が接するように取り付けられているので、撓み力に対して強く、遊技者に強く叩かれ易い操作ボタン装置をユニット化し、その周辺を厚さ方向に複数の部材を重ね合わせて構成したので、透明部材保持枠の強度が高まるとともに、撓み力に対して剛性を有する。
【００２０】
請求項６に記載の発明によれば、導電性の樹脂メッキが施されたスピーカーカバー部材と保持枠本体の裏面に配した補強板とが、導電性付勢手段を介して導通接続されているので、スピーカーカバー部材と透明部材保持枠との間にノイズの発生要因となる火花が生じることがなく、スピーカーカバー部材を要因とする回路の誤動作を防止することができる。
【発明を実施するための最良の形態】
【００２１】
以下、本発明の最良の実施形態を図面に基づいて説明する。
図１は代表的な遊技機であるカードユニット付パチンコ機の正面図、図２は透明部材保持枠を開いた状態におけるパチンコ機の斜視図、図３は内枠の斜視図である。
【００２２】
本実施形態に示すパチンコ機１は、外枠（機枠あるいは本体枠）２に、大きな開口部を有する略額縁状の内枠３（前面枠）の一側（図中左側）を開閉可能に取り付け、この内枠３の遊技盤収納部４（図３参照）内に遊技盤５を交換可能な状態で取り付け、遊技盤５の表面には、表示装置、大入賞口、一般入賞口、アウト口（図示せず）などを配設した遊技領域６をガイドレールなどの区画部材７により区画することで形成している。また、内枠３の前面には、一側（図中左側）が軸着された透明部材保持枠８（ガラス枠）を回動可能に設け、該透明部材保持枠８に透視可能な透明部材（ガラス板）を収納し、この透明部材を通して遊技領域６を前方から透視可能な状態で覆い、透明部材保持枠８の下方に上皿ユニット１０と下皿ユニット１１とを上下に並べて備え、上皿ユニット１０と下皿ユニット１１との間にスピーカーユニット１２を配設している。そして、このパチンコ機１は、カードユニット９のカード挿入口１３にプリペイドカード等の記憶媒体（遊技価値が記憶されている）を挿入し、透明部材保持枠８の下部に設けられた球貸用操作釦１７を操作すると、パチンコ機１の内部に設けられた球排出装置が作動して遊技球が上皿ユニット１０に排出されるとともに記憶媒体の記憶内容が書き換えられ、返却用操作釦１８を操作するとカードユニット９内の記憶媒体がカード挿入口１３から返却されるように成っている。
【００２３】
内枠３は、図３に示すように、矩形状の開口部２０を上寄りに開設した略額縁状の部材であり、内枠本体２１の裏面側に、遊技盤収納部４を一体成型するとともに、遊技盤収納部４の下部に遊技盤載置台２２を一体成型した大きな合成樹脂製の枠体であり、遊技盤載置台２２の上面に遊技盤５を載置した状態で遊技盤収納部４内に収納し、遊技盤収納部４の壁に設けた止着金具である遊技盤係止手段２６と遊技盤固定手段２７とにより遊技盤５を着脱可能な状態で止着することができるように概略構成されている。そして、この内枠３の裏面の上部には、球排出系アッセンブリーを、下部裏面には裏流路構成ユニットを、該裏流路構成ユニットの背面には制御装置アッセンブリーをそれぞれ取り付け、最下位置には、ファール球回収口２９から回収したファール球や球流下路の途中でオーバーフローした遊技球を下皿に向けて案内するシュート流路部材などを取り付けてある（いずれも図示せず）。
【００２４】
また、内枠３の下部にはフレームボード部３１が設けられており、このフレームボード部３１には、発射操作ユニット３２の後方に当たる箇所に、遊技球を遊技領域６に向かって発射するための発射装置３５を備えている。
【００２５】
この発射装置３５は、上皿に貯留された遊技球を１個ずつ発射可能な装置であり、フレームボード部３１の前面に止着されるプレート状の取付基板３８に発射杵４０を回動軸４３により軸着し、発射杵４０の下端部分を回動軸４３から下方に延在して遊技球を弾発するための杵先４７を備えている。また、発射装置３５は、回動軸４３より下方に発射レール５０の遊技球発射位置５１を設定し、遊技球発射位置５１から遊技盤５上の上記区画部材７に沿って形成された案内誘導路５５に向かって上り傾斜する状態で発射レール５０を配設している。この発射レール５０は、発射装置３５から発射された遊技球を案内誘導路５５へ誘導するための部材であり、案内誘導路５５と発射杵４０との間に、上端が発射杵４０の上部、あるいは回動軸４３と略同じ高さに位置する状態で配設されている。このようにして発射装置３５は、発射杵４０と発射レール５０とを横方向に並べて配設することができ、高さを低く抑えて構成することができる。したがって、内枠３内におけるフレームボード部３１の位置を低くし、遊技盤５の上下幅を広げて、遊技領域６を拡張することができる。
【００２６】
また、このフレームボード部３１は、発射レール５０の上端と案内誘導路５５との間に上記ファール球回収口２９を開口して、遊技領域６まで到達せずに案内誘導路５５を逆流してきた遊技球を回収できるように構成されている。
【００２７】
次に、透明部材保持枠８について説明する。
透明部材保持枠８は、図４から図８に示すように、遊技盤５の遊技領域６の全体が見える大きさの略円形の開口部６１を開設し、装飾部材として機能する合成樹脂製の前面部材６３と、この前面部材６３の裏側に設けられ前記開口部６１と重なる開口部６４を開設した合成樹脂製の保持枠本体６５と、この保持枠本体６５の裏側に設けられて透明ガラスなどの透明部材（図示せず）を支持する支持部材６７とから概略構成され、保持枠本体６５の一側上下に設けたヒンジ金具７１，７２により内枠３の一側に開閉可能に軸着される。
【００２８】
前面部材６３は、その裏側に設けた発光装飾基板７５のＬＥＤなどの発光源の光を透過できるように透光性の合成樹脂により成形された背面開放の浅いカバー状の部材であり、一側（左側）の上下に補助装飾部材７６，７７を設け、開口部６１の内周縁の左右にスピーカーカバー部材８１，８２を、また開口部６１の内周縁の下部に、上縁が横一直線で下縁が円弧状の略三日月形のカバー部材８５を設け、該カバー部材８５のほぼ中央に開設した横長な開口部８６に貸し球スイッチユニット（操作ボタン装置をユニット化したもの）８７の貸し球用操作釦１７と返却用操作釦１８を配置できるように構成してある。
【００２９】
この様な構成からなる前面部材６３の裏側に設ける保持枠本体６５は、左右幅よりも上下長さが少し長い略長方形の合成樹脂製枠体であり、前記スピーカーカバー部材８１，８２に対応する位置にスピーカー９１，９２を設け、前面には前記発光装飾基板７５を取り付ける取付部を形成し、開口部６４の下方の部分であって前記開口部８６に対応する部位に、貸し球スイッチユニット８７を前方から収納可能なユニット収納室９３（本発明のユニット取付部に相当）を形成してある。なお、この保持枠本体６５は、前記前面部材６３の背面の開口縁内に丁度嵌合する大きさに成形されており、前面部材６３の背面に、後方から複数のネジにより固定される。そして、この保持枠本体６５の裏面の開口部６４の上方に横長な金属製の上補強板９４をねじで固定するとともに、開口部６４の一側（軸着側）に縦長な右補強板（後方から見て右）１０１を、開口部６４の他側（自由端側）に縦長な左補強板（後方から見て左）９８を、開口部６４の下方に横長な下補強板９９を右補強板１０１，左補強板９８の下端に接続した状態でそれぞれねじで固定し、上記右補強板１０１の外側にヒンジ金具７１，７２を設ける。なお、上補強板９４，右補強板１０１，左補強板９８，下補強板９９はそれぞれ金属板製であり、保持枠本体６５の開口部６４の四方を囲むように付設される補強材として機能しており、左補強板９８の下部と下補強板９９の接続部には、これらに掛け渡すように接合補強部材１０９をネジ止めされることによって接続補強されている。
【００３０】
右補強板１０１，左補強板９８および下補強板９９には、横向きコ字状の前方の透明部材保持部１０２と、その後方の透明部材保持部１０３とが支持部材６７として設けられており、これら右補強板１０１，左補強板９８および下補強板９９を保持枠本体６５の裏面に取り付けると、保持枠本体６５の裏面に図示しない前面透明部材（例えば、透明板ガラス）の左右縁部と下縁部を支持する透明部材保持部１０２が同一平面上に形成され、この透明部材保持部１０２の後方に図示しない内面透明部材（例えば、透明板ガラス）の左右縁部と下縁部を支持する透明部材保持部１０３が同一平面上に形成される。したがって、横向きコ字状に配置された前方の透明部材保持部１０２と、その後方に配置された透明部材保持部１０３内に、上方から前面透明部材、内面透明部材をそれぞれ差し込むことができる。また、前記上補強板９４には、前面透明部材の上昇を防止するための上昇防止部１０５が設けてあり、前面透明部材を遊技者が手で押し上げようとしても、透明部材の上端が上昇防止部材１０５に当たって上昇させることができず、不正行為ができないように成っている。なお、前記右補強板１０１の近傍には、透明部材からはみ出した前記案内誘導路５５を覆って補強する誘導路補強部材１０７が設けられる。
【００３１】
前記したように、保持枠本体６５の前面下部には、貸し球スイッチユニット８７を収納するユニット収納室９３の前面が開口しており、図５および図６に示すように、この貸し球スイッチユニット８７は保持枠本体６５の前面よりも後方に突出して取り付けられるため、ユニット収納室９３は奥に凹ませて区画されることになる。したがって、図５および図８に示すように、保持枠本体６５の開口部６４の下方部分を補強する下補強板９９のユニット収納室９３に相当する部位には、貸し球スイッチユニット８７を配置するための切り欠き部１１０が形成されている。本実施形態では、下補強板９９に貸し球スイッチユニット８７を配置するための切り欠き部１１０を形成したが、下補強板９９の幅をより下方へ延出させた場合には中央寄りの部分を切り欠いた開口部として形成してもよい。このように貸し球スイッチユニット８７を配置するために、下補強板９９に切り欠き部１１０を形成すると、保持枠本体６５の開口部６４の下方部分の剛性が弱くなる。これを防止すべく、本発明では、この切り欠き部を跨いで貸し球スイッチユニット８７をよけて後方から囲繞するような状態でコ字状に成形した金属製の補助補強板１１２を取り付けている。
【００３２】
この補助補強板１１２は、図８から図１１に示すように、下補強板９９に当接するように取り付けられ、下補強板９９から後方に延出した左板部（後方から見て左）１１３および右板部（後方から見て右）１１４と、前記左板部１１３の後端に一側が接続するとともに、前記右板部１１４の後端に他側が接続し、貸し球スイッチユニット８７の後方に位置する後板部１１５と、該後板部１１５の下端から前方へ折り返した底板部１１６と、を備えている。また、前記左板部１１３の前端および右板部１１４の前端には、それぞれ外側方に折り曲げられ、前記下補強板９９に当接する取付板部１１７，１１８が設けられている。
【００３３】
前記保持枠本体６５の各取付板部１１７，１１８に対応する位置には、図６に示すように、ネジ等の止着部材１２１を止着するための止着孔１２２と、保持枠本体６５から後方に突出したボス状の突出部材１２３と、がそれぞれ形成されており、各取付板部１１７，１１８には、図１１に示すように、前記止着部材１２１を挿通する貫通孔１２４と、前記突出部材１２３を挿通するための貫通孔１２５とがそれぞれ形成されている。補助補強板１１２は前記下補強板９９の裏面側に取り付けられるため、下補強板９９の各取付板部１１７，１１８が当接する部位にも、前記止着部材１２１を挿通する止着孔１２７と、前記突出部材１２３を挿通するための挿通孔１２８とがそれぞれ形成されている（図５）。そして、保持枠本体６５から後方に突出したボス状の突出部材１２３を位置決め部材として前記下補強板９９の挿通孔１２８と前記取付板部１１７，１１８の挿通孔１２５を挿通し、下補強板９９に各取付板部１１７，１１８を当接させて、下補強板９９の止着孔１２７および各取付板部１１７，１１８の止着孔１２４に前記止着部材１２１を止着することにより、補助補強板１１２を取り付ける。このように、突出部材１２３が位置決めになって組立の作業性が良くなり、突出部材１２３と止着部材１２１の２ヵ所で補助補強板１１２を係合するので撓み力に対する高い剛性力を有する。
【００３４】
したがって、保持枠本体６５の前面下部には貸し球スイッチユニット８７を収納するユニット収納室９３の前面が開口しているが、このユニット収納室９３は前記下補強板９９の切り欠き部１１０と、貸し球スイッチユニット８７を後方から囲繞するように、下補強板９９に取り付けられるコ字状の金属製の補助補強板１１２と、によって区画され、この区画空間をユニット収納室９３として貸し球スイッチユニット８７が前方から取り付けられることに成る。貸し球スイッチユニット８７を後方から囲繞する補助補強板１１２の後板部１１５および左板部１１３には、成型時に凹状に窪ませた型押し部（ビード）１３１が形成されており、補助補強板１１２の剛性を高めている。即ち、前記下補強板９９に形成した切り欠き部１１０内に貸し球スイッチユニット８７を設けても、該切り欠き部１１０を跨いで貸し球スイッチユニット８７を後方から囲繞するように補助補強板１１２が設けられるので、透明部材保持枠８を撓み力に強くすることができ、遊技者が透明部材保持枠８を前方へと引っ張って透明部材保持枠８を撓ませることにより、遊技盤５の表面と透明部材保持枠８の裏面との間隔を拡げて行う不正行為を防止することができる。なお、貸し球スイッチユニット８７の取り付けについては後述する。
【００３５】
また、図１１および図１２に示すように、前記補助補強板１１２の後板部１１５の下端から前方へ折り返した底板部１１６は、その前端部が前記下補強板９９の前面よりも前方まで延在するように形成されている。したがって、該補助補強板１１２の強度が増して撓み力に強くなり、また、透明部材保持枠８の下方からピアノ線を挿入するなどの不正行為を行おうとしても、この底板部１１６によってピアノ線の挿入が阻止されるので、斯かる不正行為を防止することができる。
【００３６】
前記したように、内枠３には、透明部材保持枠８よりも下方位置に前記遊技盤５の遊技領域６へ遊技球を発射するための発射装置３５が設けられている。前記上補強板９４，右補強板１０１，左補強板９８および下補強板９９から成る金属板製の補強板、および前記補助補強板１１２を付設した透明部材保持枠８を内枠３に取り付けると、補助補強板１１２の後板部１１５が発射装置３５から発射された遊技球の発射レール５０のファール球回収口２９近傍に面することになる。本実施形態では、図７、図１２および図１３に示すように、補助補強板１１２の後板部１１５の裏面には、発射装置３５から発射された遊技球の前面側の案内面１３９を区画する透明合成樹脂製の裏面部材１３５が設けられており、この裏面部材１３５は浅いカバー状の透明合成樹脂で形成され、前記補助補強板１１２の周囲を後方から覆っている。この裏面部材１３５にはネジ等の止着部材１３６を挿通させるための複数の貫通孔１３７が形成されており、前記下補強板９９上に止着部材１３６により取り付けられている。図１３に示すように、裏面部材１３５は、補助補強板１１２だけでなく、下補強板９９の大部分を覆うように形成されており、前記下補強板９９の切り欠き部１１０を跨ぐように補助補強板１１２を取り付けても、発射された遊技球の誘導に影響を与えない。
【００３７】
次に、前記貸し球スイッチユニット８７を透明部材保持枠８に対する取付手順について説明する。
前記したように、保持枠本体６５の前面下部には、貸し球スイッチユニット８７を収納するユニット収納室９３が奥に凹ませて前面が開口した状態で形成されており、このユニット収納室９３は、図１４に示すように、貸し球スイッチユニット８７の左右幅よりも十分広い左右幅を有し、内部の一側（左側）に、上記開口の近傍に突起状の引っ掛け部材１４１を上下二箇所設け、該引っ掛け部材１４１の奥に、貸し球スイッチユニット８７の一端に設けた係止部１４２が係止可能な係止開口部１４９を形成し、また、ユニット収納室９３の他側（右側）の側壁１４４の前端部分から開口縁にかけての角部に係合爪受部１４３を形成する。この係合爪受部１４３は、貸し球スイッチユニット８７の他端に設けたユニット係合爪部１４６が係合可能な部分であり、ユニット係合爪部１４６の自然状態における突出長さよりも短い寸法で開口したものである。
【００３８】
このユニット収納室９３内に貸し球スイッチユニット８７を取り付けるには、図１５に示すように、先ず、貸し球スイッチユニット８７の一端をユニット収納室９３内に斜めにした状態で差し込んで、係止部１４２の先端を引っ掛け部材１４１の後方の係止開口部１４９内に挿入する。このとき、ユニット収納室９３の奥の壁面には逃げ開口部１４７が開設されているので、ユニット収納室９３の奥行きが貸し球スイッチユニット８７の奥行きとほぼ同じ寸法であっても、係止部１４２の後端が逃げ開口部１４９内に入って奥の壁面と干渉することなく係止開口部１４９内に挿入することができる。
【００３９】
この様にして、貸し球スイッチユニット８７の一端の係止部１４２をユニット収納室９３の係止開口部に係止したならば、貸し球スイッチユニット８７の他端側を後退させ、ユニット係合爪部１４６をユニット収納室９３の係合爪受部１４３に合わせ、さらに後退させる。すると、ユニット係合爪部１４６の傾斜面が係合爪受部１４３の縁に当接し、さらに後退させるとユニット係合爪部１４６が操作釦１７，１８側に押圧されて撓む。そして、十分に押圧すると、傾斜面が係合爪受部１４３の縁を通過して、通過した時点でユニット係合爪部１４６が弾性により復元して傾斜面の手前の段差部が係合爪受部１４３の縁に係合し、これにより貸し球スイッチユニット８７が前方に外れない状態となる。
【００４０】
この様に、本実施形態に係る貸し球スイッチユニット８７は、ネジなどの止着部材やドライバーなどの工具を使用しなくても、簡単な操作で取り付けることができる。そして、貸し球スイッチユニット８７を保持枠本体６５の前面に取り付けたならば、保持枠本体６５の前面に前記カバー部材８５を被せて、カバー部材８５に開設したある開口部８６内に、貸し球スイッチユニット８７の膨出部が裏側から嵌合され、パチンコ機１の前面から操作釦１７，１８を操作できる状態となる。
【００４１】
このように、貸し球スイッチユニット８７は、操作ボタン装置を内蔵してユニットケースによりユニット化されており、保持枠本体６５の前面下部に前方が開口した凹室状のユニット収容室（操作ボタン装置を収納するための操作ボタン装置収納室）９３内に簡単な操作で取り付けることができ、保持枠本体６５の前面に前記カバー部材８５を被せることにより、透明部材保持枠８を装飾するための装飾部材７６、７７等を備えた前面部材６３と装飾的に一体化する。また、前記補助補強板１１２は、ユニット収納室（操作ボタン装置収納室）９３の後壁の後面に、その後板部１１５の前面が接するように取り付けられることになり、撓み力に対して強く、遊技者に強く叩かれ易い操作ボタン装置をユニット化し、その周辺を厚さ方向に複数の部材を重ね合わせて構成したので、透明部材保持枠８の強度が高まるとともに、撓み力に対して高い剛性を有する。さらに、本実施形態では、透明部材保持枠８の開口部６１の下方部分を下方へ延設させて透明部材の下方に位置するように貸し球スイッチユニット８７を設けたので、上記開口部６１を大きく形成することができ、貸し球スイッチユニット８７の取付部分の美観にも優れている。加えて、貸し球スイッチユニット８７を後方から囲繞する補助補強板１１２には、前記したように、後板部１１５の下端から前方へ折り返した底板部１１６を設けているので、遊技者が貸し球スイッチユニット８７を強く叩いても、それに耐えうる強度を有する。
【００４２】
また、前記したように、前面部材６３の裏側に設ける保持枠本体６５は、左右幅よりも上下長さが少し長い略長方形の合成樹脂製枠体であり、その開口部６４の左右両側には音響効果を演出するスピーカー９１，９２がそれぞれ設けられており、保持枠本体６５の前面を覆う前面部材６３の開口部６４の左右両側にも、前記スピーカー９１，９２に対応する位置にスピーカーカバー部材８１，８２が設けられている。このスピーカーカバー部材８１，８２には金属光沢を施すため、導電性の樹脂メッキが施されている。本実施形態では、図１６から図１８に示すように、導電性の樹脂メッキが施されたスピーカーカバー部材８１，８２と保持枠本体６５の裏面に配した補強板とが、導電性付勢手段１５５を介して導通接続されている。具体的には、導電性付勢手段１５５として導電性金属により形成されたコイルバネを採用し、このコイルバネ１５５の先端を前面部材６３のスピーカーカバー部材８１，８２の裏面に当接すると共に、前面部材６３を挟むようにコ字状の金属板１５７を一緒にネジ止めし、スピーカーカバー部材８１，８２のメッキとコイルバネ１５５とが金属板１５７を介して確実に導通するように構成している。
【００４３】
一方、保持枠本体６５には、図１６に示すように、前面部材６３にコイルバネ１５５を挿通する切り欠き部（開口部）１５８が形成されており、前面部材６３を保持枠本体６５に取り付けると、コイルバネ１５５が切り欠き部１５８を挿通し、コイルバネ１５５の後端が保持枠本体６５の裏面側の左補強板９８および右補強板１０１の透明部材保持部１０２と当接して、スピーカーカバー部材８１，８２と透明部材保持枠８の補強板９７，９８とが導通するように成っている。したがって、スピーカーカバー部材８１，８２と透明部材保持枠８との間にノイズの発生要因となるスパークが生じることがなく、スピーカーカバー部材８１，８２を要因とする回路の誤動作を防止することができるものである。
【００４４】
上記した実施形態は、代表的な遊技機であるパチンコ機１を例に挙げて説明したが、本発明はこれに限らず、遊技球を発射して遊技を行う遊技機であればどのような遊技機でもよい。例えば、内部に封入した遊技球を循環させる封入球式パチンコ機、アレンジボール式遊技機、雀球式遊技機等の遊技機であってもよい。
また、実施形態では、操作ボタン装置に関して、球貸用操作釦と返却用操作釦を備えた貸し球スイッチユニットを挙げたが、本発明はこれに限定されるものではなく、可変表示装置を備えた遊技機の場合には可変表示の停止信号を発生させるスイッチでもよいし、可変表示内容の種類を遊技者が選択する選択スイッチでもよいし、球貯留装置を備えた遊技機の場合には球貯留解除スイッチでもよい。
なお、スイッチの形式はマイクロスイッチなどの有接点スイッチに限らす、タッチスイッチや光スイッチなどのスイッチでもよい。
また、補強板は、実施形態においては上下左右に関して別個に作製したものを取り付ける分割タイプとしたが、適宜にユニット化あるいは一体化して作製してもよい。
そして、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４５】
【図１】パチンコ機の正面図である。
【図２】透明部材保持枠を開いた状態におけるパチンコ機の斜視図である。
【図３】内枠の斜視図である。
【図４】透明部材保持枠の分解斜視図である。
【図５】保持枠本体および金属補強板を後方から見た斜視図である。
【図６】保持枠本体を後方から見た斜視図である。
【図７】保持枠本体、金属補強板および裏面部材の取り付け状態の横断面である。
【図８】金属補強板を後方から見た斜視図である。
【図９】補助補強板の取り付け状態を後方から見た要部斜視図である。
【図１０】補助補強板の取り付け状態を後方下方から見た要部斜視図である。
【図１１】補助補強板の下面図である。
【図１２】補助補強板および裏面部材の取り付け状態の縦断面図である。
【図１３】裏面部材の取り付け状態を後方から見た要部斜視図である。
【図１４】保持枠本体に貸し球スイッチユニットを取り付けようとしている状態を示す斜視図である。
【図１５】保持枠本体のユニット収納室内に貸し球スイッチユニットの一端を差し込んだ状態を示すユニット収納室近傍の斜視図である。
【図１６】前面部材および保持枠本体を前方から見た分解斜視図である。
【図１７】前面部材に取り付けたスピーカーカバー部材を後方から見た要部斜視図である。
【図１８】スピーカーカバー部材と透明部材保持枠との導通状態の縦断面図である。
【符号の説明】
【００４６】
１  パチンコ機
３  内枠（前面枠）
５  遊技盤
６  遊技領域
８  透明部材保持枠
２０  内枠の開口部
２１  内枠本体
３５  発射装置
５０  発射レール
６１  透明部材保持枠の開口部
６３  前面部材
６４  保持枠本体の開口部
６５  保持枠本体
８１  スピーカー装飾部材
８２  スピーカー装飾部材
８５  カバー部材
８７  貸し球スイッチユニット
９１  スピーカー
９２  スピーカー
９３  ユニット収納室
９４  上補強板
９８  左補強板
９９  下補強板
１０１  右補強板
１０２  透明部材保持部
１０３  透明部材保持部
１１０  切り欠き部
１１２  補助補強板
１１３  左板部
１１４  右板部
１１５  後板部
１１６  底板部
１１７  取付板部
１１８  取付板部
１２１  止着部材
１２２  止着孔
１２３  突出部材
１２４  止着孔
１２５  挿通孔
１２７  止着孔
１２８  挿通孔
１３５  裏面部材
１３６  止着部材
１３７  止着孔
１３９  案内面
１４２  係止部
１４３  係合爪受部
１４４  側壁
１４６  ユニット係合爪部
１４９  係止開口部
１５５  導電性付勢手段
１５７  コ字状の金属板
１５８  切り欠き部（開口部）
【図１】
2005261657.tif 000003
【図２】
2005261657.tif 000004
【図３】
2005261657.tif 000005
【図４】
2005261657.tif 000006
【図５】
2005261657.tif 000007
【図６】
2005261657.tif 000008
【図７】
2005261657.tif 000009
【図８】
2005261657.tif 000010
【図９】
2005261657.tif 000011
【図１０】
2005261657.tif 000012
【図１１】
2005261657.tif 000013
【図１２】
2005261657.tif 000014
【図１３】
2005261657.tif 000015
【図１４】
2005261657.tif 000016
【図１５】
2005261657.tif 000017
【図１６】
2005261657.tif 000018
【図１７】
2005261657.tif 000019
【図１８】
2005261657.tif 000020